(57)【要約】      （修正有）【課題】エネルギー貯蔵デバイス内部で、セパレータ表面に対する電解質の柱状部の高さを得るため、かつ／または維持するためのシステムおよび方法を提供する。【解決手段】本発明の実施形態では、ウィッキング構成要素１２０、集電体１４０、およびバイアス構成要素１３０を備える。集電体１４０は、バイアス構成要素１３０が、セパレータ１１０の内面に緊密にウィッキング構成要素１２０を押圧するように位置決めされる。バイアス構成要素１３０は、ウィッキング構成要素１２０とセパレータ１１０の表面の間の接触を維持し、ナトリウムがウィッキングする毛管間隙を生成する。【選択図】図２
2014013751.tif 000002
【特許請求の範囲】
【請求項１】
容積を画定する内面を有する、電気絶縁性でイオン伝導性のセパレータと、
内面および外面を有し、前記外面がセパレータの前記内面に接触するウィッキング構成要素と、
内面および外面を有し、前記外面が前記ウィッキング構成要素の前記内面に接触するバイアス構成要素であって、毛管間隙が前記ウィッキング構成要素外面と前記セパレータ内面の間に維持されるように、前記セパレータ内面に前記ウィッキング構成要素を押し付けるバイアス構成要素と
を備える、エネルギー貯蔵物品。
【請求項２】
前記バイアス構成要素が、前記セパレータの頂部への流体電解質の一部分のウィッキングを促進する前記毛管間隙を生成するために、前記ウィッキング構成要素とセパレータの前記内面の間の接触を維持する、請求項１記載の物品。
【請求項３】
前記バイアス構成要素の前記内面と接触する集電体をさらに備える、請求項１記載の物品。
【請求項４】
前記集電体が、前記集電体の容積を、前記セパレータの前記内面により画定される容積の５０パーセントより大きくするのに十分広い直径を有する、請求項３記載の物品。
【請求項５】
前記集電体が、液体電解質の柱状部の高さを増大するために、十分な容積を押しのける、請求項４記載の物品。
【請求項６】
前記集電体が、空間を画定し、かつ、液体が開口部を通って流れることが可能となるように、前記集電体を通って延在する開口部をさらに画定する内面を有する、請求項１記載の物品。
【請求項７】
液体電解質の決められた容積が、前記エネルギー貯蔵物品の充電状態によって実現されるとき、前記集電体内面により画定される前記空間が、液体電解質の一部分を受け入れるように、集電体が構成される、請求項６記載の物品。
【請求項８】
前記開口部が、前記集電体の頂部に配置される複数の開口部の１つである、請求項７記載の物品。
【請求項９】
前記集電体が、決められた量の外部圧力に応答して圧潰するように構成される、請求項１記載の物品。
【請求項１０】
前記集電体が、圧潰量の外部圧力の後で、圧潰前の構成を回復することにより、外部圧力の減少に応答する材料を備える、請求項９記載の物品。
【請求項１１】
前記材料が、ばね状の特性を有する、または熱形状記憶材料である、請求項１０記載の物品。
【請求項１２】
前記バイアス構成要素が、波状である、請求項１記載の物品。
【請求項１３】
前記バイアス構成要素が、複数の隆起部および溝部を含む、請求項１記載の物品。
【請求項１４】
前記複数の隆起部および溝部が、複数の接触点でセパレータに接触するように前記ウィッキング構成要素を押す、ばね状の外方向の力を発生させる、請求項１３記載の物品。
【請求項１５】
容積を画定する内面を有し、前記容積が、所定のＳＯＣで液体電解質を受け入れるように構成される、イオン伝導性で電気絶縁性のセパレータと、
毛管間隙がウィッキング構成要素の表面と前記セパレータの前記内面の少なくとも一部分の間に画定されるように、前記セパレータ内面に毛管接触しているウィッキング構成要素と、
決められた間隙距離で、および決められた間隙距離の均一性を有して、前記毛管間隙が得られ、かつ維持されるように、決められた量の力によって複数の接触点で、前記セパレータ内面に前記ウィッキング構成要素を押し付けるように構成されるバイアス構成要素と、
前記バイアス構成要素を支持するために前記バイアス構成要素に接触している集電体と
を備える、システム。
【請求項１６】
前記集電体が、前記セパレータの前記内面により画定される前記容積の少なくとも一部分を押しのけるように構成される、請求項１５記載のシステム。
【請求項１７】
前記集電体が空間を画定する内面を有し、前記集電体が、しきい値を超えた外部圧力に応答して、前記空間を減少するために形状を変化させ、その結果、前記セパレータ容積内部で前記外部圧力を解放する、請求項１６記載のシステム。
【請求項１８】
前記集電体が、形状を変化させた後で、前記外部圧力の減少に応答して、変化する前の構成に自動的に戻ることが可能である、請求項１７記載のシステム。
【請求項１９】
前記集電体が、前記容積の一部分を押しのけ、ただし、液体電解質の上昇する柱状部の高さが、前記開口部に達する際に、他の方法で押しのけた容積に流れ込むことになるように、前記集電体の頂部の近辺に配置される開口部を有する、請求項１６記載のシステム。
【請求項２０】
電気化学セルでの規定のＳＯＣレベルを超えた充電レベルに応答して、集電体の形状を変化させることにより、前記電気化学セルに対しては内部的であるが、前記集電体に対しては外部的である圧力を低減するステップ
を含む、方法。
【請求項２１】
空間を画定する内面を有するハウジングと、
前記ハウジングの空間に配置され、外面を有する、電気絶縁性かつイオン伝導性のセパレータと、
前記セパレータの外面に接する内面と、外面とを有するウィッキング構成要素と、
内面と外面とを有するバイアス構成要素と、
を備え、
前記バイアス構成要素の内面の少なくとも一部は前記ウィッキング構成要素の外面に接し、
前記バイアス構成要素は前記ハウジングを押し、前記ウィッキング構成要素を前記セパレータの外面に押し付けて、前記ウィッキング構成要素の内面と前記セパレータの外面との間の毛管間隙を画定かつ維持し、
前記バイアス構成要素は、使用中に縦方向に複数の隆起部および溝部を有する波形状を画定する、
エネルギー貯蔵デバイス。
【発明の詳細な説明】
【技術分野】
【０００１】
本明細書で開示する主題の実施形態は、エネルギー貯蔵デバイスに関する。より詳細には、本発明は、セパレータと金属ウィッキング構成要素の間の接触を維持するためのバイアス構成要素を含むエネルギー貯蔵デバイスに関する実施形態を含む。
【背景技術】
【０００２】
溶融ナトリウムのアノードおよびベータアルミナ固体電解質を用いた金属塩化物電池が、エネルギー貯蔵用途のために利用される。エネルギー貯蔵デバイスは、ナトリウムイオン伝導性セラミックのベータアルミナ構造または材料（例えば、セパレータ）により、正（カソード）電極から分離される、ナトリウムの負（アノード）電極を含み得る。金属構成要素が、セパレータの内面上のナトリウムのウィッキング（ｗｉｃｋｉｎｇ）を促進するために使用される。セパレータは、正確な幾何学的形状ではない（例えば、縦方向の波、縦方向の曲線等）焼成したセラミック材料から製造することができる。正確な状態から外れることによって、金属構成要素のセパレータ表面に対する接触面積が低減する場合がある。接触面積の減少によって、ウィッキング能力が悪化する場合がある。
【先行技術文献】
【特許文献】
【０００３】
【特許文献１】米国特許第５７６３１１７号明細書
【発明の概要】
【０００４】
現在利用可能であるものと異なる、エネルギー貯蔵デバイスおよび方法を生み出すことが望ましい場合がある。
【０００５】
一実施形態では、容積を画定する内面を有する、電気絶縁性のイオン伝導性のセパレータと、内面および外面を有し、外面がセパレータの内面に接触するウィッキング構成要素と、内面および外面を有し、外面がウィッキング構成要素の内面に接触するバイアス構成要素であって、毛管間隙がウィッキング構成要素外面とセパレータ内面との間に維持されるように、セパレータ内面にウィッキング構成要素を押し付けるバイアス構成要素とを含む、エネルギー貯蔵物品が提供される。
【０００６】
一実施形態では、容積を画定する内面を有し、容積が所定の充電状態（以下「ＳＯＣ」（Ｓｔａｔｅ ｏｆ ｃｈａｒｇｅ））で液体電解質を受け入れるように構成される、イオン伝導性の電気絶縁性のセパレータと、毛管間隙がウィッキング構成要素の表面とセパレータの内面の少なくとも一部分との間に画定されるように、セパレータ内面に毛管接触しているウィッキング構成要素と、決められた間隙距離で、および決められた間隙距離の均一性を有して、毛管間隙が得られ、かつ維持されるように、決められた量の力によって複数の接触点で、セパレータ内面にウィッキング構成要素を押し付けるように構成されるバイアス構成要素と、バイアス構成要素を支持するためにバイアス構成要素に接触している集電体とを含む、システムが提供される。
【０００７】
電気化学セルでの規定のＳＯＣレベルを超えた充電レベルに応答して、集電体の形状を変化させることにより、電気化学セルに対しては内部的であるが、集電体に対しては外部的である圧力を低減するステップを含む、方法が提供される。
【０００８】
以下の説明でより詳細に説明するような、本発明の個々の実施形態および態様を例示する、付随する図面を参照する。
【図面の簡単な説明】
【０００９】
【図１】本発明の実施形態による電気化学デバイスの概略斜視図である。
【図２】図１に示すデバイスの断面図である。
【発明を実施するための形態】
【００１０】
本明細書で開示する主題の実施形態は、エネルギー貯蔵デバイスに関する。エネルギー貯蔵デバイス内部で、セパレータ表面に対する電解質レベルを維持するためのシステムおよび方法を開示する。これらのエネルギー貯蔵デバイスは、セパレータとウィッキング構成要素の間の接触／間隔を維持するために、ウィッキング構成要素と協働的に連動するバイアス構成要素を含み得る。
【００１１】
本明細書では、用語「デバイス」は、用語「セル」を含み、セルは、最小の完全な電気化学要素である。用語「リザーバ」は、本明細書では、集電体により少なくとも部分的に画定される領域を指すために使用される。「動作可能な連通」は、１つの領域に配置された材料が、別の領域に越境し得ることを意味する。用語「波形の（ｃｏｒｒｕｇａｔｅｄ）」は、本明細書では、一連の平行の隆起部（ｒｉｄｇｅ）および溝部（ｆｕｒｒｏｗ）と定義することができる。
【００１２】
図１を参照すると、システム１００が、本発明の態様を含む、全体的に円筒形のエネルギー貯蔵デバイス１０の斜視図が示されていることを例示する。ハウジング１２が、他の構成要素を収納する。エネルギー貯蔵デバイス内部で、セパレータの内面にウィッキング構成要素（図示せず）を押し当てるように、バイアス構成要素（図示せず）を位置決めすることができる。バイアス構成要素からの力によって、ウィッキング構成要素がセパレータ表面に押し付けられる、または押圧されることが確実になる。バイアス構成要素は、セパレータの内面にウィッキング構成要素を押圧し、そのことによって、確実に機能的な毛管間隙をもたらす決められた適合物となる。ウィッキング構成要素とセパレータの内面との間の毛管間隙は、電解質のウィッキングを促進する。方向の参照のために、上部は参照番号１４によって指示され、一方で底部は参照番号１６により指示される。
【００１３】
図２を参照すると、本発明の実施形態によるエネルギー貯蔵デバイスの長さに沿った断面図２００が与えられる。デバイスは、セパレータ１１０を含む。セパレータは、直径がハウジングの直径未満であり、外面１１２および内面１１４を有する、円筒形の管である。セパレータに加えて、ウィッキング構成要素１２０、バイアス構成要素１３０、および集電体１４０が、内面により画定されるセパレータの内側の内部に配置される。セパレータは、ハウジングの容積内に、同心円状かつ同軸に配置される。
セパレータ
セパレータは、使用中の、カソードとアノード領域の間のイオン伝達のための経路を提供する。イオンは、アルカリ金属イオンであり得る。適したアルカリ金属には、例えば、ナトリウムおよびリチウムがある。セパレータは、動作状況では、イオンを伝導することができる。動作状況は、特定の要因に基づいて決めることができるが、例示的な電解質がナトリウムである場合、動作圧力は大気圧を超過する場合があり、温度は摂氏約１５０度より高い場合がある。適したセパレータは、β”アルミナで形成することができる。その形状に関して、適したセパレータは、管、または類似の中空の断面外形であってよい。
【００１４】
セパレータの内面は、凹凸を低減するために研磨される場合がある。それでも、ウィッキング構成要素とセパレータ内面の間の間隙は、ウィッキングを促進するために、決められた範囲内に維持することができる。間隙があまりにも小さいと、ウィッキングの流れを妨げる場合があり、間隙があまりにも大きいと、ウィッキング効果を妨げる、または低減する場合がある。さらに、不均一な間隙によって、「乾燥した」すなわち液体電解質がまったくない面積が生じる場合がある。
【００１５】
ウィッキングに利用可能な表面積を増すために、かつ、表面積および表面のナトリウム親和性を増すために間隙スペーサ材料を使用することができる。これらは、カーボン粒子塗布、カーボンフェルト、カーボンメッシュ等のような炭素材料を含み得る。他の非炭素材料を、それらの特性に基づいて使用することができる。
【００１６】
適した毛管間隙の間隔は、用途の特定のパラメータに基づいて選択することができる。一実施形態では、間隙は、約０．１０ｍｍ未満である、約０．１１ｍｍから約０．１５ｍｍまで、約０．１６ｍｍから約０．２０ｍｍまで、約０．２１ｍｍから約０．２５ｍｍまで、約０．２６ｍｍから約０．３０ｍｍまでの範囲内である、または０．３ｍｍより大きい場合がある。例示する実施形態では、間隙は、０．２２ｍｍの平均距離である場合がある。間隙の平均距離に加えて、間隙の均一性は、０．０５ｍｍ未満、または０．０１ｍｍ未満の偏差である場合がある。
ウィッキング構成要素
ウィッキング構成要素は、ベータアルミナ表面を、覆われた、または濡れた状態に保つためのナトリウムのウィッキングをもたらす。ウィッキング作用は、ウィッキング構成要素とベータアルミナ表面の間の毛管間隙によるものであり得る。この間隙によって、確実に、ナトリウムを、約３０ｃｍのセルの高さにウィッキングすることができる。間隙を保つ、または維持するために、バイアス構成要素が、ベータアルミナ表面に緊密にウィッキング構成要素を押圧する。バイアス構成要素は、集電体と、ベータアルミナ表面に押圧されるウィッキング構成要素との間の、緊密な適合物である。それは、ばねのような、緊密な適合物である、その理由は、ベータアルミナが焼成した物体であり（例えば、正確な形状ではない）、バイアス構成要素が、ウィッキング構成要素をセパレータに十分に適合させるからである。ウィッキング構成要素は、バイアス構成要素および集電体により、セパレータに密接に接触している状態を維持することができる。
【００１７】
ウィッキング構成要素の表面に接触するセパレータは、決められた表面の外形を実現するために、研磨または研削されるなど、表面処理される場合がある。さらに、表面処理としては、表面積を制御するための、かつ、ウィッキング構成要素のナトリウム親和性を増すための、スコアリング、パターニング、およびコーティングを含むことができる。適したパターニングは、例えば、レーザエッチング、音波エッチング、スカリフィケーション（ｓｃａｒｉｆｉｃａｔｉｏｎ）等により行うことができる。
【００１８】
ウィッキング構成要素は、セパレータの利用可能な表面積にわたって延在し得る。ウィッキング構成要素の底部の処理が、ウィッキング構成要素にナトリウムをセルの内側から送り込むことを促進し得る。一実施形態では、ウィッキング構成要素は、厚さが、ほぼ０．１ｍｍ未満である、約０．１ｍｍから約０．１５ｍｍまでの範囲内である、または約０．１５ｍｍより大きい場合がある。
【００１９】
例として、かつ限定としてではなく、バイアス構成要素は、管状であり得るとともに、少なくとも１つの隆起部および少なくとも１つの溝部を含み得る。図２に例示する実施形態では、波状の（ｕｎｄｕｌａｔｅ）バイアス構成要素が、管状の構成に屈曲されている。バイアス構成要素は、（「ｃ」の形状で）縁部に沿って開状態である場合があり、または（「ｏ」の形状で）閉状態である場合がある。隆起部により設けられる接触点が、セパレータにウィッキング構成要素を、しっかりとかつ均等に押圧する。接触点が多いほど、バイアス構成要素により供給される圧力が、より均等に分散される。示す実施形態では、バイアス構成要素は、集電体およびウィッキング構成要素に挟まれている。集電体の内側の容積は、バイアス構成要素の隆起部と溝部との間の空間に充塞するナトリウムからは、開状態である、部分的に閉状態である、または完全に閉状態である場合がある。
【００２０】
バイアス構成要素の代替実施形態に関して、バイアス構成要素は、集電体上の溶接線から外にウィッキング構成要素までのひれ状部として延在する。反対に、別の実施形態では、中央に位置する集電体に接触し、それを押圧するように、ウィッキング構成要素の内方向に面する表面に溶接されるひれ状部を含む。例えば、集電体を押すことにより、セパレータに対するウィッキング構成要素のバイアスをもたらす、他のばね状の向きが可能であり得る。
【００２１】
バイアス構成要素およびウィッキング構成要素は、相互に同じ、または異なる材料で形成することができる。適した材料としては、金属、セラミックス、およびサーメットが挙げられる。適した金属としては、鋼鉄、ニッケル、アルミニウム、それらの合金等が挙げられる。
【００２２】
再び図２を参照すると、集電体は、電流を収集すること、バイアス構成要素を支持すること、および／または、セパレータ内のナトリウムの高さが、ウィッキング構成要素に液体ナトリウムが供給されることを確実にするように、容積を押しのけることが可能である。集電体のサイズは、用途の特定のパラメータに基づいて選択することができる。例えば、集電体は、バイアス構成要素を用いたセパレータの中への集電体の配置を受容するように、実際的に可能な限り大きく製作することができる。別の例では、低い放電状態でさえ、確実にナトリウムが可能な限り高いレベルであるように、セパレータ内の容積を押しのけるため、集電体を可能な限り大きくすることができる。電流経路は、ナトリウムを通って、負端子である集電体に向かう。例えば、ほぼ１５０アンペア時（Ａｈ）の定格容量を超えるセルに対して、ほぼ４０立方センチメートル（ｃｃ）のナトリウムが、発生する場合がある。これは、セパレータが、外径（ＯＤ）がほぼ６０ｍｍであり、内径（ＩＤ）がほぼ５７ｍｍである実施形態では、ほぼ１６ミリメートル（ｍｍ）付近のナトリウムの柱状部の高さに相当し得る。満充電では、ナトリウムの柱状部の高さは、底部からほぼ７４ｍｍとなり得る。
【００２３】
最大限にまで充電された場合、ナトリウムの柱状部の高さは、頂部の近辺まであるが、最低限にまで放電された場合、ナトリウムは、比較的低い柱状部の高さにある。柱状部の高さは、ウィッキング能力に影響を与える。一実施形態では、過圧力の可能性を低減するために、または過圧力を防止するために、集電体は、密封した容積または硬質の形態を画定しない場合がある。過圧力を低減することが、損傷を回避、低減または防止するために望ましい場合がある（例えば、著しい過充電によって、セパレータが破裂する場合がある）。さらに、集電体は、中空である場合があり、ナトリウムが集電体の内側の空間に流れ込むことを可能にする開口部を画定する場合がある。こうすることにより、集電体は、ナトリウムのレベルが、使用中にウィッキングを促進するために可能な限り高くなり得るように、押しのける容積を最大化すること、および、まさにその押しのけた容積を、過充電の場合にナトリウムの貯蔵場所として提供することの両方が可能である。
【００２４】
画定された内部の容積を有し、集電体を通って、セパレータの頂部またはその近辺に延在する開口部または複数の開口部を画定する自由空間を、集電体の内側に設けることができる。過充電の際、ナトリウムは、集電体に流れ込み、それによって、圧力上昇を低減することができる。開口部は、ナトリウムが、抵抗経路を改善する（減らす）ために、セパレータに対し可能な限り高くウィッキング可能であるように位置し得る。
【００２５】
自由容積を設けることの代替方策としては、集電体上に圧潰帯（ｃｒｕｓｈ  ｚｏｎｅ）を有することが挙げられる。したがって、アコーディオンすなわち波形の形状によって、圧力を軽減するために部分的に潰れることにより、集電体が、増大する外部圧力に応答することが可能になり得る。放電による圧力の解放によって、集電体が、その潰れる前の形状および向きを回復することが可能になり得るような材料を使用することが望ましい場合がある。そのような材料としては、熱形状記憶金属、バイメタル合金、またはばね状の材料が挙げられる。実施形態では、集電体は、空間を画定する内面を有し、集電体は、しきい値を超えた外部圧力に応答して、空間を減少するために形状を変化させ、その結果、セパレータ容積内部で外部圧力を解放する。別の実施形態では、集電体は、形状を変化させた後で、外部圧力の減少に応答して、変化する前の構成に自動的に戻ることが可能である。
【００２６】
使用中、ウィッキング構成要素は、セパレータの表面に接触するように外方向に押し当てられ（例えば、押圧され、バイアスされ）ており、ここで、外方向の力は、集電体およびバイアス構成要素からのものである。外方向の力は、液体および固体の周囲の表面間の分子間引力のために生じる。毛管間隙が、十分にサイズ調整され、均一であるならば、（液体内部の凝集により引き起こされる）表面張力、ならびに、液体と容器との間の付着力の組み合わせが、液体を引き上げるように作用する。
【００２７】
バイアス構成要素に結合された集電体からの係留力によって、確実にウィッキング構成要素がセパレータに絶えず接触し、毛管間隙が決められた様式で維持される。すなわち、ウィッキング構成要素は、ウィッキング構成要素にセパレータへの外方向の力（例えば、押圧）を付与する、集電体およびバイアス構成要素に基づいて、セパレータの表面に接触している。バイアス構成要素は、ウィッキング構成要素とセパレータとの間の接触を維持し、そのような接触によって、ナトリウムがウィッキング可能である安定した毛管間隙が確実になる。
【００２８】
バイアス構成要素は、ウィッキング構成要素の外面がセパレータの内面に接触していることを維持する力を発生させる。バイアス構成要素は、セパレータの内面上に押圧するために、ウィッキング構成要素の内面を外方向に、同様に、ウィッキング構成要素の外面を外方向に押圧する力を発生させる。
【００２９】
放電中、集電体によって、確実にナトリウムの高さをセル内でセパレータに対して決められた高さのレベルに維持することが可能となる。別の例では、確実に過圧力でなくすための開口部が、アノード区画を排気して封止することにより省くことができるが、開口部がないと、ナトリウムが集電体に入ることのできる過充電状況が生じることができない。ナトリウムのレベルは、調整することができる。例えば、区画が中央の金属管の頂部までナトリウムで充塞しているならば、排気することは助けとなることができず、追加容積が助けとなる場合がある。進行するナトリウム金属に対して、頂部での少なくとも１つの開口部を通すことで、予備の容積を設けることができる。排気は、それでも可能であり、排気によって、いくらかの気体圧力を減らすことができるが、著しい過充電の際に発生される超過のナトリウム用の容積が、やはり必要とされる。
【００３０】
一実施形態では、カソード材質はセパレータ内面により画定された容積内に配置される。アノードの液体ナトリウム金属は、使用中にセパレータを通って外側に流れて、セパレータの外面とハウジングの内面との間の空間で収集される。このような構成において、バイアス構成要素は、バイアス構成要素とセパレータ外面との間に自ら位置するウィッキング構成要素とハウジング内面とを押す。ナトリウムを収集する空間は、ハウジングの設計を変更することにより適合および構成され、セパレータにより画定される容積に制限されない。それでも、バイアス構成要素の複数の接触点は、ウィッキング構成要素によって十分なウィッキングを提供するという機能に基づいて選択されなければならない。
【００３１】
上述のシステム、デバイス（例えば、エネルギー貯蔵デバイス、物品など）等を、いくつかの構成要素および／または要素間の相互作用に関して説明した。そのようなデバイスおよび要素は、その中で指定される要素もしくは部分要素、指定される要素もしくは部分要素の一部、および／または追加的な要素を含み得る。さらになお、１つまたは複数の、要素および／または部分要素が、集約機能性をもたらすように、単一の構成要素に組み合わすことができる。
【００３２】
組み立ての際、ウィッキング構成要素が、セパレータの中に挿入される。バイアス構成要素が、セパレータの中に挿入される。集電体が、セパレータの中に挿入され、集電体は、バイアス構成要素の中に挿入される。集電体、バイアス構成要素、ウィッキング構成要素、およびセパレータは、次いで、ハウジングの中にパッケージングすることができる。方法は、集電体の形状を変化させることにより、電気化学セルでの規定のＳＯＣレベルを超えた充電レベルに応答して、電気化学セルに対しては内部的であるが、集電体に対しては外部的である圧力を低減するステップを含む。
【００３３】
明細書および特許請求の範囲では、以下の意味を有するいくつかの用語について言及する。単数形「ａ」、「ａｎ」および「ｔｈｅ」は、文脈において別段に明確に規定しない限り、複数の指示対象を含む。本明細書では、明細書および特許請求の範囲を通して、近似を表す文言は、それが関係する基本機能の変化をもたらすことなく、許される程度に変動し得る任意の量的表現を修飾するために付与し得る。したがって、「約」などの用語により修飾される値は、指定された精密な値に限定されるべきものではない。一部の例では、近似を表す文言は、値を測定するための計器の精度に対応し得る。同様に、「ない（ｆｒｅｅ）」は、用語と組み合わせて使用し得るものであり、実質的でない数、または微量を含み得るが、一方で、それでも修飾される用語がないとみなされる。さらに、別段に具体的に言明しない限り、用語「第１の」、「第２の」等のいかなる使用も、何らかの順序または重要度を示すものではなく、むしろ、用語「第１の」、「第２の」等は、１つの要素を別のものと区別するために使用される。
【００３４】
添付の特許請求の範囲では、用語「含む（ｉｎｃｌｕｄｉｎｇ）」および「有する（ｈａｖｉｎｇ）」は、用語「備える、含む（ｃｏｍｐｒｉｓｉｎｇ）」の普通語の相当語句として使用され、用語「その中で（ｉｎ  ｗｈｉｃｈ）」は、「そこにおいて（ｗｈｅｒｅｉｎ）」に相当する。本明細書では、単数形で記載し、単語「ａ」または「ａｎ」を用いて処置した、要素またはステップは、複数の前記要素またはステップを除外しないと、そのような除外を明示的に言明しない限り理解すべきである。さらに、本発明の「一実施形態」に対する言及は、記載した特徴をやはり組み込む追加的な実施形態の存在を除外すると解釈されることは意図されない。さらに、そうではないと明示的に言明しない限り、個々の特性を有する要素または複数の要素を、「備える」、「含む」、または「有する」実施形態は、その特性を有さない追加的なそのような要素を含み得る。ある決まった実施形態を、類似または同様の要素を有するように示す場合があるが、これは単に例示目的であり、そのような実施形態は、特許請求の範囲で指定しない限り、必ずしも同じ要素を有する必要はない。
【００３５】
この記述した説明では、最良の形態を含めて、本発明を開示するために、さらに、任意のデバイスまたはシステムを作製かつ使用すること、および任意の組み込まれた方法を遂行することを含めて、当業者が本発明を実践することを可能にするために、例を使用する。本発明の特許的な範囲は、特許請求の範囲により規定され、当業者が想到する他の例を含み得る。そのような他の例は、それらが、特許請求の範囲の文字通りの文言と異ならない構造要素を有するならば、または、それらが、特許請求の範囲の文字通りの文言と実質的な違いのない等価の構造要素を含むならば、特許請求の範囲の範囲内にあることが意図される。
【符号の説明】
【００３６】
１０  エネルギー貯蔵デバイス
１２  ハウジング
１４  上部
１６  底部
１００  システム
１１０  セパレータ
１１２  外面
１１４  内面
１２０  ウィッキング構成要素
１３０  バイアス構成要素
１４０  集電体
２００  断面図
【図１】
2014013751.tif 000003
【図２】
2014013751.tif 000004
【外国語明細書】
2014013751000001.pdf